(57)【要約】【課題】紙幣、カード、名刺、メモ用紙などの物を強固に挟持し、容易に携帯したり取り出したりすることができる保持装置構造を提供する。【解決手段】保持装置構造は、基板１１及び第１の挟持弾片１６を備える。基板１１は、互いに表裏の関係にある第１の端面及び第２の端面を有する。基板１１の第１の端面の左右両端には、第１の位置決め片１２及び第２の位置決め片１３がそれぞれ形成される。基板１１の第１の端面は、第１の位置決め片１２と第２の位置決め片１３との間の一側に形成された第３の位置決め片１４を有する。第１の位置決め片１２、第２の位置決め片１３及び第３の位置決め片１４のそれぞれは基板１１の中央部へ向かって所定の長さで折り曲げられて延び、基板１１の第１の端面との間に一緒に挟持空間１５が形成される。第１の挟持弾片１６は、互いに対をなす第１の端部及び第２の端部を有する。【選択図】図１
0003216571.tif 000002
【実用新案登録請求の範囲】
【請求項１】
基板及び第１の挟持弾片を備えた保持装置構造であって、
前記基板は、互いに表裏の関係にある第１の端面及び第２の端面を有し、
前記基板の前記第１の端面の左右両端には、第１の位置決め片及び第２の位置決め片がそれぞれ形成され、
前記基板の前記第１の端面は、前記第１の位置決め片と前記第２の位置決め片との間の一側に形成された第３の位置決め片を有し、
前記第１の位置決め片、前記第２の位置決め片及び前記第３の位置決め片のそれぞれは前記基板の中央部へ向かって所定の長さで折り曲げられて延び、前記基板の前記第１の端面との間に一緒に挟持空間が形成され、
前記第１の挟持弾片は、互いに対をなす第１の端部及び第２の端部を有し、
前記第１の挟持弾片の前記第１の端部は、前記第３の位置決め片に接続され、
前記第１の挟持弾片が前記基板の中央部へ向かって所定の長さで延びて第２の端部が成形され、
前記第１の挟持弾片の前記第２の端部が折り曲げられて押圧部が成形されることを特徴とする、
保持装置構造。
【請求項２】
前記基板には、前記第１の挟持弾片に対応する箇所に貫通孔が形成され、前記第１の挟持弾片の押圧部は、前記貫通孔に位置することを特徴とする請求項１に記載の保持装置構造。
【請求項３】
第２の挟持弾片をさらに備え、前記第２の挟持弾片は、互いに対をなす第１の端部及び第２の端部を有し、前記基板の前記第２の端面の一側には、前記第２の挟持弾片の前記第１の端部が折り曲げられて接続され、前記第２の挟持弾片は、前記基板の中央部へ向かって所定の長さで延びて前記第２の端部が成形され、前記第２の挟持弾片の前記第２の端部が折り曲げられて押圧部が成形されることを特徴とする請求項１に記載の保持装置構造。
【考案の詳細な説明】
【技術分野】
【０００１】
本考案は、保持装置構造に関し、特に、紙幣、カード、名刺、メモ用紙などの物を強固に挟持し、容易に携帯したり取り出したりすることができる保持装置構造に関する。
【背景技術】
【０００２】
現代人は、紙幣、各種カード、名刺、メモ用紙などの物を日常的に使用し、これらを財布又は手提げ袋の内層袋などに収容することが一般的であった。財布又は手提げ袋を携帯する習慣が無い者は、紙幣、カード、名刺、メモ用紙などを衣類のポケットに直接収容した。
【０００３】
しかし財布、手提げ袋又は衣類のポケットは、紙幣、カード、名刺、メモ用紙などの物を収容する機能しか無かった。そのため財布、手提げ袋又は衣類のポケット内に収容した紙幣、カード、名刺、メモ用紙などがごっちゃ混ぜになってしまうことがあり、使用する際、探し出すのに時間がかかり、物を取り出すのが面倒となり、手提げ袋又は衣類のポケット内の紙幣、カード、名刺、メモ用紙などの物が折れ曲がったり変形したりし易かった。折れ曲がったり変形したりした紙幣、カード、名刺及びメモ用紙は、外観がすっきりせず綺麗でなく、最悪の場合、損壊して使用できなくなることがあった。
【０００４】
本考案者は、従来、紙幣、カード、名刺、メモ用紙などが財布、手提げ袋又は衣類のポケットなどに収容されたときに取り出しにくかったり折れ曲がったり変形する欠点に鑑み、鋭意研究を重ねた結果、本考案を完成させたものである。
【考案の概要】
【考案が解決しようとする課題】
【０００５】
本考案の主な目的は、紙幣、カード、名刺、メモ用紙などの物を強固に挟持し、容易に携帯したり取り出したりすることができる保持装置構造を提供することにある。
【課題を解決するための手段】
【０００６】
上記課題を解決するために、本考案の第１の形態によれば、基板及び第１の挟持弾片を備えた保持装置構造であって、前記基板は、互いに表裏の関係にある第１の端面及び第２の端面を有し、前記基板の前記第１の端面の左右両端には、第１の位置決め片及び第２の位置決め片がそれぞれ形成され、前記基板の前記第１の端面は、前記第１の位置決め片と前記第２の位置決め片との間の一側に形成された第３の位置決め片を有し、前記第１の位置決め片、前記第２の位置決め片及び前記第３の位置決め片のそれぞれは前記基板の中央部へ向かって所定の長さで折り曲げられて延び、前記基板の前記第１の端面との間に一緒に挟持空間が形成され、前記第１の挟持弾片は、互いに対をなす第１の端部及び第２の端部を有し、前記第１の挟持弾片の前記第１の端部は、前記第３の位置決め片に接続され、前記第１の挟持弾片が前記基板の中央部へ向かって所定の長さで延びて第２の端部が成形され、前記第１の挟持弾片の前記第２の端部が折り曲げられて押圧部が成形されることを特徴とする保持装置構造を提供する。
【０００７】
前記基板には、前記第１の挟持弾片に対応する箇所に貫通孔が形成され、前記第１の挟持弾片の押圧部は、前記貫通孔に位置することが好ましい。
【０００８】
第２の挟持弾片をさらに備え、前記第２の挟持弾片は、互いに対をなす第１の端部及び第２の端部を有し、前記基板の前記第２の端面の一側には、前記第２の挟持弾片の前記第１の端部が折り曲げられて接続され、前記第２の挟持弾片は、前記基板の中央部へ向かって所定の長さで延びて前記第２の端部が成形され、前記第２の挟持弾片の前記第２の端部が折り曲げられて押圧部が成形されることが好ましい。
【考案の効果】
【０００９】
本考案の保持装置構造は、紙幣、カード、名刺、メモ用紙などの物を強固に挟持し、容易に携帯したり取り出したりすることができる。
【図面の簡単な説明】
【００１０】
【図１】本考案の一実施形態に係る保持装置構造を示す斜視図である。
【図２】本考案の一実施形態に係る保持装置構造を示す別の角度からの斜視図である。
【図３】本考案の一実施形態に係る保持装置構造を示す断面図である。
【図４】本考案の一実施形態に係る保持装置構造を示す使用状態の説明図である。
【図５】本考案の一実施形態に係る保持装置構造を示す他の使用状態の説明図である。
【図６】本考案の他の実施形態に係る保持装置構造を示す斜視図である。
【考案を実施するための形態】
【００１１】
本考案の技術手段及びそれにより達成可能な効果を、より完全かつ明白に開示するために、開示した添付の図面及び符号と併せて本考案を以下詳説する。
【００１２】
まず、図１〜図３を参照する。
図１〜図３に示すように、本考案の一実施形態に係る保持装置構造は、保持装置１を備える。保持装置１は、一体射出成形され、基板１１及び第１の挟持弾片１６を含む。基板１１は、互いに表裏の関係にある第１の端面及び第２の端面を有する。基板１１の第１の端面の左右両端には、第１の位置決め片１２及び第２の位置決め片１３が成形される。基板１１の第１の端面は、第１の位置決め片１２と第２の位置決め片１３との間の上側に形成された第３の位置決め片１４を有し、第１の位置決め片１２、第２の位置決め片１３及び第３の位置決め片１４のそれぞれは基板１１の中央部へ向かって所定の長さで延ばされ、第１の位置決め片１２、第２の位置決め片１３及び第３の位置決め片１４により、基板１１の第１の端面との間に挟持空間１５が形成される。
第１の挟持弾片１６は、互いに対をなす第１の端部及び第２の端部を有する。第３の位置決め片１４には、第１の挟持弾片１６の第１の端部が接続される。第１の挟持弾片１６は、基板１１の中央部へ向かって所定の長さで延ばされて第２の端部が成形され、第１の挟持弾片１６の第２の端部が折り曲げられて押圧部１６１が成形される。基板１１には、第１の挟持弾片１６の対応した箇所に長尺溝型の貫通孔１７が形成される。第１の挟持弾片１６の押圧部１６１は、貫通孔１７中に位置する。
第１の挟持弾片１６の押圧部１６１は、基板１１の第１の端面に位置する。基板１１の第２の端面には、第２の挟持弾片１８が設けられる。第２の挟持弾片１８には、互いに対となる第１の端部及び第２の端部が設けられる。基板１１の第２の端面には、基板１１の上側に設けられた第２の挟持弾片１８の第１の端部が折り曲げられて接続され、基板１１の第２の端面と第２の挟持弾片１８の第１の端部とが接続される。基板１１の第１の端面には、第３の位置決め片１４の一側が設けられる。第２の挟持弾片１８は、基板１１の中央部へ向かって所定の長さで延びて第２の端部が成形され、第２の挟持弾片１８の第２の端部が折り曲げられて押圧部１８１が成形され、押圧部１８１が基板１１の第２の端面に当接され、第２の挟持弾片１８に中空部１８２が形成される。
【００１３】
実際に使用する際、ユーザは保持装置１の第１の挟持弾片１６を僅かに引き上げた後、紙幣、カード、名刺、メモ用紙などの物２を、基板１１、第１の位置決め片１２、第２の位置決め片１３及び第３の位置決め片１４から構成された挟持空間１５中に置いてから、３つの側部に設けられた第１の位置決め片１２、第２の位置決め片１３及び第３の位置決め片１４により、挟持空間１５の紙幣、カード、名刺、メモ用紙などの物２を強固に位置決めし、ユーザが第１の挟持弾片１６を引き上げる力をリリースすると、第１の挟持弾片１６が弾性回復力により復位し、押圧部１６１が紙幣、カード、名刺、メモ用紙などの物２上に押圧され、紙幣、カード、名刺、メモ用紙などの物２を保持装置１に強固に固定することができる。
【００１４】
図４及び図５を参照する。図４及び図５に示すように、ユーザは、紙幣、カード、名刺、メモ用紙などの物２を挟持する保持装置１を衣類３のポケット３１（図４を参照する）又は手提げ袋４の内層袋４１（図５を参照する）に収容し、第２の挟持弾片１８により保持装置１を衣類３のポケット３１又は手提げ袋４の内層袋４１のポケットに挟持する。
ユーザが紙幣、カード、名刺、メモ用紙などの物２を取り出すと、ポケットに挟持された保持装置１とともに、その上に挟持された紙幣、カード、名刺及びメモ用紙などの物２を衣類３のポケット３１又は手提げ袋４の内層袋４１から一緒に外側へ取り出し、紙幣、カード、名刺及びメモ用紙などの物２を保持装置１の挟持空間１５から抜き出して使用する。
【００１５】
本実施形態に係る保持装置１を用いて紙幣、カード、名刺、メモ用紙などの物２を集めて収納すると、手提げ袋４の内層袋４１又は衣類３のポケット３１などに収容した物品がごっちゃ混ぜになることを防ぎ、実際に使用する際、探し出すのに時間がかかることを防ぐことができる。更に、紙幣、カード、名刺、メモ用紙などの物２を速やかに手提げ袋４の内層袋４１又は衣類３のポケット３１内から取り出して使用することができ、本実施形態のプラスチックの基板１１により支えて当接するため、手提げ袋４の内層袋４１又は衣類３のポケット３１内に収納した紙幣、カード、名刺、メモ用紙などの物２が折れ曲がったり変形したりして損壊することを防ぐことができる。
また、本実施形態の第２の挟持弾片１８は、衣類３のポケット３１又は手提げ袋４の内層袋４１のポケットに挟持することができる上、ユーザが携帯する紙幣、カード、名刺、メモ用紙などの物２の数が多いときや、ユーザが紙幣、カード、名刺、メモ用紙などの物２を分類して挟持するときには、第２の挟持弾片１８により紙幣、カード、名刺、メモ用紙などの物２を挟持するため、紙幣、カード、名刺、メモ用紙などの物２を容易に取り出すことができる。
【００１６】
前述した実施形態又は図面は、本考案の保持装置１の構造を限定するわけではなく、図６を併せて参照すると分かるように、本考案の保持装置１の他の実施形態では、基板１１の第１の端面が第１の位置決め片１２及び第２の位置決め片１３の両側に成形されて補助弾片１９が配設され、２つの補助弾片１９が第１の位置決め片１２と第３の位置決め片１４との間に位置するとともに、第２の位置決め片１３と第３の位置決め片１４との間に位置し、補助弾片１９が基板１１の第１の面へ向かって傾いて所定の長さで延ばされてもよい。
このように２つの補助弾片１９により紙幣、カード、名刺、メモ用紙などの物２の両側を挟持し、第１の挟持弾片１６を組み合わせて３点で挟持すると、紙幣、カード、名刺、メモ用紙などの物２を挟持する力を高めることができる。
【００１７】
上述したことから分かるように、本考案の保持装置構造は、以下（１）〜（７）の長所を有する。
（１）基板の三側にそれぞれ位置決め片を設け、基板とともに挟持空間を形成したことで、三側に設けた位置決め片により、挟持空間に収納した紙幣、カード、名刺、メモ用紙などの物を強固に位置決めし、第１の挟持弾片により押圧し、紙幣、カード、名刺、メモ用紙などの物を保持装置に強固に固定することができる。
（２）紙幣、カード、名刺、メモ用紙などの物をその上に挟持して収納し、紙幣、カード、名刺、メモ用紙などの物を保持装置とともに衣類のポケット又は手提げ袋の内層袋に収納するため袋内の他の物品とごっちゃ混ぜになることがなく、速やかに保持装置とともに取り出して使用することができる。
（３）三側に設けられた位置決め片により、紙幣、カード、名刺、メモ用紙などの物を挟持空間に位置決めし、プラスチック基板上に対応して当接し、プラスチック基板により支えることで、その上の紙幣、カード、名刺、メモ用紙などの物が折れ曲がって変形したり損壊したりすることを防ぐ。
（４）基板の挟持空間とは反対側に、第２の挟持弾片が接続され、第２の挟持弾片により、保持装置が衣類のポケット又は手提げ袋の内層袋などの袋口に挟持されているため、保持装置及びその上に挟持された物を衣類のポケット又は手提げ袋の内層袋から容易に取り出すことができる。
（５）基板の挟持空間とは反対側に、第２の挟持弾片が接続され、第２の挟持弾片により、衣類のポケット又は手提げ袋の内層袋などの袋口に挟持することができる上、紙幣、カード、名刺、メモ用紙などの物を挟持することもでき、物の数が多いときや分類するときに、適時、挟持することができるため使い易い。
（６）基板の第１の挟持弾片の対応した箇所には、長尺溝型の貫通孔が形成され、第１の挟持弾片の押圧部が長尺溝型の貫通孔中に位置し、第１の挟持弾片の押圧部の復位点が基板の第１の端面に位置するため、第１の挟持弾片の弾性挟持力を高めることができる。
（７）基板の第１の端面には、第１の位置決め片の両側に成形された補助弾片が配設され、第１の位置決め片と２つの補助弾片とにより紙幣、カード、名刺、メモ用紙などの物を３点で挟持するため、物を挟持する力が高い。
【符号の説明】
【００１８】
１      保持装置
２      物
３      衣類
４      手提げ袋
１１    基板
１２    第１の位置決め片
１３    第２の位置決め片
１４    第３の位置決め片
１５    挟持空間
１６    第１の挟持弾片
１７    貫通孔
１８    第２の挟持弾片
１９    補助弾片
３１    ポケット
４１    内層袋
１６１  押圧部
１８１  押圧部
１８２  中空部
【図１】
0003216571.tif 000003
【図２】
0003216571.tif 000004
【図３】
0003216571.tif 000005
【図４】
0003216571.tif 000006
【図５】
0003216571.tif 000007
【図６】
0003216571.tif 000008